(57)【要約】【課題】就寝者の頭側及び脚側の空気調和を行う空調装置付きベッドにおいて、コストダウンを図ることである。【解決手段】空調装置付きベッドは、ヘッドボード及び寝台部を有するベッド本体と頭側空調手段と脚側空調手段とを備えている。脚側空調手段は、寝台部に収納された脚側空調ユニット（51a）と、寝台部に形成され、脚側空調ユニット（51a）の調和空気（SA2）を就寝者の脚側に供給するための脚側給気口及び空気（RA2）を取り込むための脚側吸込口とを備えている。脚側空調ユニット（51a）は、脚側給気口に対応した第１脚側開口（52b）及び脚側吸込口に対応した第２脚側開口（52c）を有する脚側ケーシング（52）と、ケーシング（52）内に配置され、電熱ヒータ（54）及び脚側ファン（55）を有する脚側空調系統（53）を備えている。【選択図】図６
2007244515.tif 000002
【特許請求の範囲】
【請求項１】
ベッド本体（10）と、
上記ベッド本体（10）に収納され、熱電素子（91）を有し、上記ベッド本体（10）の就寝者における頭側の空気調和を行う頭側空調手段（60）と、
上記ベッド本体（10）に収納され、電熱ヒータ（54）又は蒸気圧縮式冷凍サイクルの冷媒回路（100）の熱交換器（103）を有し、上記ベッド本体（10）の就寝者における脚側の空気調和を行う脚側空調手段（51）とを備え、
上記頭側空調手段（60）と上記脚側空調手段（51）とが、上記ベッド本体（10）の就寝者における頭側の温度が脚側の温度より低くなる温度分布を形成するように構成されている
ことを特徴とする空調装置付きベッド。
【請求項２】
ベッド本体（10）と、
上記ベッド本体（10）に収納され、蒸気圧縮式冷凍サイクルの冷媒回路（100）の熱交換器（103）を有し、上記ベッド本体（10）の就寝者における頭側の空気調和を行う頭側空調手段（60）と、
上記ベッド本体（10）に収納され、蒸気圧縮式冷凍サイクルの冷媒回路（100）の熱交換器（103）、電熱ヒータ（54）及び熱電素子（91）の何れかを有し、上記ベッド本体（10）の就寝者における脚側の空気調和を行う脚側空調手段（51）とを備え、
上記頭側空調手段（60）と上記脚側空調手段（51）とが、上記ベッド本体（10）の就寝者における頭側の温度が脚側の温度より低くなる温度分布を形成するように構成されている
ことを特徴とする空調装置付きベッド。
【請求項３】
請求項１又は２において、
上記頭側空調手段（60）は、上記ベッド本体（10）に形成されて就寝者の頭側に調和空気を供給するための頭側給気口（32a）と、上記頭側給気口（32a）の下方に位置してベッド本体（10）に形成され、空気を吸い込むための頭側吸込口（33b）とを備えている
ことを特徴とする空調装置付きベッド。
【請求項４】
請求項１又は２において、
上記頭側空調手段（60）は、上記ベッド本体（10）に形成されて就寝者の頭側との間で熱を授受する輻射パネル（87）を備えている
ことを特徴とする空調装置付きベッド。
【請求項５】
ベッド本体（10）と、
上記ベッド本体（10）に収納され、上記ベッド本体（10）に形成された輻射パネル（87）及び上記輻射パネル（87）の背面に位置し、所定温度の熱媒体が循環する循環回路（88）を有し、上記ベッド本体（10）の就寝者における頭側の空気調和を行う頭側空調手段（60）と、
上記ベッド本体（10）に収納され、蒸気圧縮式冷凍サイクルの冷媒回路（100）の熱交換器（103）、電熱ヒータ（54）及び熱電素子（91）の何れかを有し、上記ベッド本体（10）の就寝者における脚側の空気調和を行う脚側空調手段（51）とを備え、
上記頭側空調手段（60）と上記脚側空調手段（51）とが、上記ベッド本体（10）の就寝者における頭側の温度が脚側の温度より低くなる温度分布を形成するように構成されている
ことを特徴とする空調装置付きベッド。
【請求項６】
ベッド本体（10）と、
上記ベッド本体（10）に収納され、上記ベッド本体（10）の就寝者の頭側に形成された外気給気口（131）を有し、上記外気給気口（131）から就寝者の頭側に外気（OA）を供給する頭側空調手段（60）と、
上記ベッド本体（10）に収納され、蒸気圧縮式冷凍サイクルの冷媒回路（100）の熱交換器（103）、電熱ヒータ（54）及び熱電素子（91）の何れかを有し、上記ベッド本体（10）の就寝者における脚側の空気調和を行う脚側空調手段（51）とを備え、
上記頭側空調手段（60）と上記脚側空調手段（51）とが、上記ベッド本体（10）の就寝者における頭側の温度が脚側の温度より低くなる温度分布を形成するように構成されている
ことを特徴とする空調装置付きベッド。
【請求項７】
請求項６において、
上記頭側空調手段（60）は、上記外気給気口（131）の下方に位置してベッド本体（10）に形成され、ベッド本体（10）の就寝者における頭側の空気を排出するための頭側排気口（132）を備えている
ことを特徴とする空調装置付きベッド。
【請求項８】
請求項１、２、５及び６の何れか１項において、
上記ベッド本体（10）を覆って就寝者が就寝する就寝空間（14）を形成する覆い部材（40）を備えている
ことを特徴とする空調装置付きベッド。
【発明の詳細な説明】
【技術分野】
【０００１】
本発明は、就寝者の頭側及び脚側の空気調和を行う空調装置付きベッドに関するものである。
【背景技術】
【０００２】
従来から、就寝者の頭側及び脚側の空気調和を個別に行い、人体の部位別の快適性に適した「頭寒足熱」の温度分布を形成する空調装置付きベッドが知られている（例えば、特許文献１）。
【０００３】
特許文献１の睡眠カプセルは、カプセル本体と頭部空調系統と脚部空調系統とを備えている。該カプセル本体は、床台と床台の前部に形成された頭部板と床台の後部に形成された脚部板と床台の両側部と上方を覆う覆い部材とを備えている。
【０００４】
上記各空調系統は、１つのケーシングに空調ファンと排熱ファンといわゆるペルチェ素子である熱電素子とを備え、カプセル本体の床台に収納されている。
【０００５】
床台の前端部には、頭部空調系統の給気口及び還気口が形成され、頭部板には、上記前端部の給気口に連通する吹出口及び還気口と連通し且つ上記吹出口の下方に配置された吸込口が形成されている。一方、床台の後端部には、脚部空調系統の給気口及び還気口が形成され、脚部板には、上記後端部の給気口に連通する吹出口及び還気口と連通し且つ上記給気口の上方に配置された吸込口が形成されている。
【０００６】
頭部空調系統では、上記熱電素子により、設定温度ＳＴの調和空気が生成される一方、脚部空調系統では、上記熱電素子により、設定温度ＳＴより４℃高い調和空気が生成される。睡眠カプセル内において、就寝者の頭側では、頭部板の吹出口から吹き出した設定温度ＳＴの調和空気が下方の吸込口に吸い込まれる局所的なショートサーキット領域が形成される。一方、就寝者の脚側では、脚部板の吹出口から吹き出した設定温度ＳＴより４℃高い調和空気が上方の吸込口に吸い込まれる局所的なショートサーキット領域が形成される。
【０００７】
このようにして、睡眠カプセル内では、就寝者の部位別の快適性に適した「頭寒足熱」の温度分布が形成される。
【特許文献１】特開２００３−２３２５３７号公報
【発明の開示】
【発明が解決しようとする課題】
【０００８】
ところで、上記特許文献１の睡眠カプセルでは、第１及び第２の両空調部の熱源として熱電素子を用いている。そのため、該熱電素子が高価な部品であること及び各空調部の排熱処理が必要となって排熱ファンなどの機器を設ける必要があることから、イニシャルコストが高くなると共に、熱電素子のＣＯＰが低いという性質から、ランニングコストが高くなるという問題点があった。
【０００９】
本発明は、かかる点に鑑みてなされたものであり、就寝者の頭側及び脚側の空気調和を行う空調装置付きベッドにおいて、コストダウンを図ることを目的とする。
【課題を解決するための手段】
【００１０】
第１の発明は、ベッド本体（10）と、上記ベッド本体（10）に収納され、熱電素子（91）を有し、上記ベッド本体（10）の就寝者における頭側の空気調和を行う頭側空調手段（60）と、上記ベッド本体（10）に収納され、電熱ヒータ（54）又は蒸気圧縮式冷凍サイクルの冷媒回路（100）の熱交換器（103）を有し、上記ベッド本体（10）の就寝者における脚側の空気調和を行う脚側空調手段（51）とを備えている。そして、上記頭側空調手段（60）と上記脚側空調手段（51）とが、上記ベッド本体（10）の就寝者における頭側の温度が脚側の温度より低くなる温度分布を形成するように構成されている。
【００１１】
この第１の発明では、上記脚側空調手段（51）が、従来の熱源である熱電素子に代わって電熱ヒータ（54）又は冷凍サイクルの熱交換器（103）により空気調和を行うことによりコストの削減を図る。
【００１２】
具体的に、脚側空調手段（51）が、電熱ヒータ（54）を用いて空気調和を行うことにより、排熱処理が不要になると共に、該電熱ヒータ（54）が安価な熱源であることから、イニシャルコストの削減を図る。一方、脚側空調手段（51）が、蒸気圧縮式冷凍サイクルの冷媒回路（100）の熱交換器（103）を用いて空気調和を行うことにより、該冷媒回路（100）が熱電素子に比してＣＯＰが高いことから、ランニングコストの削減を図る。
【００１３】
第２の発明は、ベッド本体（10）と、上記ベッド本体（10）に収納され、蒸気圧縮式冷凍サイクルの冷媒回路（100）の熱交換器（103）を有し、上記ベッド本体（10）の就寝者における頭側の空気調和を行う頭側空調手段（60）と、上記ベッド本体（10）に収納され、蒸気圧縮式冷凍サイクルの冷媒回路（100）の熱交換器（103）、電熱ヒータ（54）及び熱電素子（91）の何れかを有し、上記ベッド本体（10）の就寝者における脚側の空気調和を行う脚側空調手段（51）とを備えている。そして、上記頭側空調手段（60）と上記脚側空調手段（51）とが、上記ベッド本体（10）の就寝者における頭側の温度が脚側の温度より低くなる温度分布を形成するように構成されている。
【００１４】
この第２の発明では、上記頭側空調手段（60）が、上記熱交換器（103）により空気調和を行うことにより、従来の熱源である熱電素子（91）に比してＣＯＰの高い蒸気圧縮式冷凍サイクルの冷媒回路（100）を熱源として用いることによりランニングコストの削減を図る。
【００１５】
さらに、脚側空調手段（51）が、電熱ヒータ（54）を用いて空気調和を行うことにより、排熱処理が不要になると共に、該電熱ヒータ（54）が安価な熱源であることから、イニシャルコストの削減を図る。一方、脚側空調手段（51）が、蒸気圧縮式冷凍サイクルの冷媒回路（100）の熱交換器（103）を用いて空気調和を行うことにより、該冷媒回路（100）が熱電素子に比してＣＯＰが高いことから、ランニングコストの削減を図る。
【００１６】
第３の発明は、第１又は第２の発明において、上記頭側空調手段（60）は、上記ベッド本体（10）に形成されて就寝者の頭側に調和空気を供給するための頭側給気口（32a）と、上記頭側給気口（32a）の下方に位置してベッド本体（10）に形成され、空気を吸い込むための頭側吸込口（33b）とを備えている。
【００１７】
この第３の発明では、就寝者の頭側において、上記頭側給気口（32a）から供給された調和空気（SA1）が下方に位置する頭側吸込口（33b）に吸い込まれる局所的なショートサーキット領域が形成される。
【００１８】
第４の発明は、第１又は第２の発明において、上記頭側空調手段（60）は、上記ベッド本体（10）に形成されて就寝者の頭側との間で熱を授受する輻射パネル（87）を備えている。
【００１９】
この第４の発明では、上記頭側空調手段（60）は、輻射パネル（87）により、就寝者の頭側に熱を供給したり、就寝者の頭側の熱を受け取ることにより、就寝者の頭側の空気調和を行う。これにより、就寝者が頭側おいて空気の流れによるドラフト感を感じることがない。
【００２０】
第５の発明は、ベッド本体（10）と、上記ベッド本体（10）に収納され、上記ベッド本体（10）に形成された輻射パネル（87）及び上記輻射パネル（87）の背面に位置し、所定温度の熱媒体が循環する循環回路（88）を有し、上記ベッド本体（10）の就寝者における頭側の空気調和を行う頭側空調手段（60）と、上記ベッド本体（10）の就寝者における頭側の空気調和を行う頭側空調手段（60）と、上記ベッド本体（10）に収納され、蒸気圧縮式冷凍サイクルの冷媒回路（100）の熱交換器（103）、電熱ヒータ（54）及び熱電素子（91）の何れかを有し、上記ベッド本体（10）の就寝者における脚側の空気調和を行う脚側空調手段（51）とを備えている。そして、上記頭側空調手段（60）と上記脚側空調手段（51）とが、上記ベッド本体（10）の就寝者における頭側の温度が脚側の温度より低くなる温度分布を形成するように構成されている。
【００２１】
この第５の発明では、上記頭側空調手段（60）が、従来の熱電素子による空気調和に代わって、輻射パネル（87）によって循環回路（88）の熱媒体と就寝者の頭側との間で熱を授受することにより、就寝者の頭側の空気調和を行う。そして、循環回路（88）の熱媒体を所定温度とするために、熱源を適宜選択して用いることによりコストダウンを図る。つまり、熱源には、電熱ヒータなどの機器自体が安価な熱源や冷媒回路などのランニングコストが安価な熱源を用いてもよく、さらに、専用の熱源を設けずに、ベッド（1）とは別の冷蔵庫などの冷凍装置を利用して熱媒体を冷却したり、該冷凍装置や空調装置の排熱などを利用して熱媒体を冷却したり加温したりしてもよい。また、上記輻射パネル（87）を介して熱を授受するので、就寝者が頭側において空気の流れによるドラフト感を感じることを防止する。
【００２２】
さらに、脚側空調手段（51）が、電熱ヒータ（54）を用いて空気調和を行うことにより、排熱処理が不要になると共に、該電熱ヒータ（54）が安価な熱源であることから、イニシャルコストの削減を図る。一方、脚側空調手段（51）が、蒸気圧縮式冷凍サイクルの冷媒回路（100）の熱交換器（103）を用いて空気調和を行うことにより、該冷媒回路（100）が熱電素子に比してＣＯＰが高いことから、ランニングコストの削減を図る。
【００２３】
第６の発明は、ベッド本体（10）と、上記ベッド本体（10）に収納され、上記ベッド本体（10）の就寝者の頭側に形成された外気給気口（131）を有し、上記外気給気口（131）から就寝者の頭側に外気を供給する頭側空調手段（60）と、上記ベッド本体（10）に収納され、蒸気圧縮式冷凍サイクルの冷媒回路（100）の熱交換器（103）、電熱ヒータ（54）及び熱電素子（91）の何れかを有し、上記ベッド本体（10）の就寝者における脚側の空気調和を行う脚側空調手段（51）とを備えている。そして、上記頭側空調手段（60）と上記脚側空調手段（51）とが、上記ベッド本体（10）の就寝者における頭側の温度が脚側の温度より低くなる温度分布を形成するように構成されている。
【００２４】
この第６の発明において、外気（OA）とは、就寝者が就寝する空間（14）と区画された空間の空気であり、屋外空気だけでなく屋内空気も含む。この第６の発明は、例えば、外気温が「頭寒足熱」の「頭寒」に適した温度である冬季などに、就寝者の頭側に外気（OA）を熱処理することなく直接供給することにより、就寝者の頭側を「頭寒」に適した温度に保つ。このように、外気温が「頭寒足熱」の「頭寒」に適した温度である際は、頭側空調手段（60）が熱源を用いずに空気調和を行うことにより、コストの削減を図る。
【００２５】
なお、一般的に、「頭寒足熱」の最適温度は、頭側が約２６℃、脚側が約３０℃とされているが、この最適温度には個人差もあり、特に限定されない。つまり、対象となる就寝者によっては、夏季の就寝時においても適用することができる。
【００２６】
さらに、脚側空調手段（51）が、電熱ヒータ（54）を用いて空気調和を行うことにより、排熱処理が不要になると共に、該電熱ヒータ（54）が安価な熱源であることから、イニシャルコストの削減を図る。一方、脚側空調手段（51）が、蒸気圧縮式冷凍サイクルの冷媒回路（100）の熱交換器（103）を用いて空気調和を行うことにより、該冷媒回路（100）が熱電素子に比してＣＯＰが高いことから、ランニングコストの削減を図る。
【００２７】
第７の発明は、第６の発明において、上記頭側空調手段（60）は、上記外気給気口（131）の下方に位置してベッド本体（10）に形成され、ベッド本体（10）の就寝者における頭側の空気を排出するための頭側排気口（132）を備えている。
【００２８】
この第７の発明では、就寝者の頭側において、上記外気給気口（131）から供給された外気（OA）が下方に位置する頭側排気口（132）に吸い込まれる局所的なショートサーキット領域が形成される。
【００２９】
第８の発明は、第１、２、５及び６の何れかの発明において、上記ベッド本体（10）を覆って就寝者が就寝する就寝空間（14）を形成する覆い部材（40）を備えている。
【００３０】
この第８の発明において、上記覆い部材（40）は、ベッド本体（10）を完全に覆っている必要はなく、少なくとも就寝者の周囲を覆って就寝空間（14）を形成するものである。この第８の発明では、上記覆い部材（40）によって、上記各空調手段（51,60）により空気調和された適温の空気が上記就寝空間（14）から流出することを防止し、該就寝空間（14）を快適な空調状態に維持する。
【発明の効果】
【００３１】
上記第１の発明によれば、上記脚側空調手段（51）が、電熱ヒータ（54）又は冷凍サイクルの熱交換器（103）により空気調和を行うようにしたために、脚側空調手段（51）の熱源（54,100）の変更によるコストの削減を図ることができる。
【００３２】
つまり、脚側空調手段（51）が、電熱ヒータ（54）により空気調和を行うようにしたために、排熱処理が不要になると共に、該電熱ヒータ（54）が安価な熱源であることから、イニシャルコストの削減を図ることができる。また、脚側空調手段（51）の排熱処理が不要になることから、軽量化を図ることができる。
【００３３】
一方、脚側空調手段（51）が、蒸気圧縮式冷凍サイクルの冷媒回路（100）の熱交換器（103）を用いて空気調和を行うようにしたために、該冷媒回路（100）が熱電素子（91）に比してＣＯＰが高いので、ランニングコストの削減を図ることができる。このようにして、ベッド（1）全体としてのコストダウンを図ることができる。
【００３４】
また、上記第２の発明によれば、上記頭側空調手段（60）が、蒸気圧縮式冷凍サイクルの冷媒回路（100）の熱交換器（103）により空気調和を行うようにしたために、上記冷媒回路（100）が熱電素子（91）に比してＣＯＰが高いので、ランニングコストの削減を図ることができる。
【００３５】
さらに、脚側空調手段（51）が、電熱ヒータ（54）を有する場合、排熱処理が不要になると共に、該電熱ヒータ（54）が安価な熱源であることから、イニシャルコストの削減を図ることができる。また、脚側空調手段（51）の排熱処理が不要になることから、軽量化を図ることができる。
【００３６】
一方、脚側空調手段（51）が、蒸気圧縮式冷凍サイクルの冷媒回路（100）の熱交換器（103）を有する場合、該冷媒回路（100）が熱電素子（91）に比してＣＯＰが高いので、ランニングコストの削減を図ることができる。
【００３７】
また、上記第３の発明によれば、就寝者の頭側において、上記頭側給気口（32a）から供給された調和空気（SA1）が下方に位置する頭側吸込口（33b）に吸い込まれる局所的なショートサーキット領域を形成することができるので、就寝者の頭側を確実に「頭寒足熱」の「頭寒」に適した温度に維持することができる。
【００３８】
また、上記第４の発明によれば、上記頭側空調手段（60）が、上記輻射パネル（87）により就寝者の頭側との間で熱を授受するようにしたために、就寝者が頭側において空気の流れによるドラフト感を感じることがないので、就寝者の快適性がより一層向上する。
【００３９】
また、上記第５の発明によれば、上記頭側空調手段（60）が、循環回路（88）の熱媒体と就寝者の頭側との間で輻射パネル（87）を介して熱を授受することにより、就寝者の頭側の空気調和を行うようにしたために、循環回路（88）の熱媒体を所定温度とするために熱源を適宜選択して用いることにより、コストダウンを図ることができる。つまり、熱源には、電熱ヒータなどの機器自体が安価な熱源を用いれば、イニシャルコストの削減を図ることができ、冷媒回路などを用いれば、ランニングコストの削減を図ることができる。さらに、他の冷凍装置や空調装置などを利用すれば、イニシャルコストとランニングコストを共に削減することができる。さらに、上記輻射パネル（87）を備えているので、就寝者が頭側において空気の流れによるドラフト感を感じることを防止することができる。
【００４０】
さらに、脚側空調手段（51）が、電熱ヒータ（54）を有する場合、排熱処理が不要になると共に、該電熱ヒータ（54）が安価な熱源であることから、イニシャルコストの削減を図ることができる。また、脚側空調手段（51）の排熱処理が不要になることから、軽量化を図ることができる。
【００４１】
一方、脚側空調手段（51）が、蒸気圧縮式冷凍サイクルの冷媒回路（100）の熱交換器（103）を有する場合、該冷媒回路（100）が熱電素子（91）に比してＣＯＰが高いので、ランニングコストの削減を図ることができる。
【００４２】
また、上記第６の発明によれば、上記頭側空調手段（60）が、就寝者の頭側に外気（OA）を供給するようにしたために、上記頭側空調手段（60）の熱源が不要になることから、コストの削減を図ることができる。
【００４３】
さらに、脚側空調手段（51）が、電熱ヒータ（54）を有する場合、排熱処理が不要になると共に、該電熱ヒータ（54）が安価な熱源であることから、イニシャルコストの削減を図ることができる。また、脚側空調手段（51）の排熱処理が不要になることから、軽量化を図ることができる。
【００４４】
一方、脚側空調手段（51）が、蒸気圧縮式冷凍サイクルの冷媒回路（100）の熱交換器（103）を有する場合、該冷媒回路（100）が熱電素子（91）に比してＣＯＰが高いので、ランニングコストの削減を図ることができる。
【００４５】
また、上記第７の発明によれば、就寝者の頭側において、上記外気給気口（131）から供給された外気（OA）が下方に位置する頭側排気口（132）に吸い込まれる局所的なショートサーキット領域を形成することができるので、就寝者の頭側を確実に「頭寒足熱」の「頭寒」に適した温度に維持することができる。
【００４６】
また、上記第８の発明によれば、上記覆い部材（40）を備えるようにしたために、上記各空調手段（51,60）により空気調和された適温の空気が上記就寝空間（14）から流出することを防止することができるので、該就寝空間（14）を快適な空調状態に維持することができる。これにより、就寝者の就寝時における快適性が向上する。
【発明を実施するための最良の形態】
【００４７】
以下、本発明の実施形態を図面に基づいて詳細に説明する。
【００４８】
《発明の実施形態１》
図１及び図２に示すように、本実施形態の空調装置付きベッド（1）は、就寝者の頭側及び脚側の空気調和を行う空調装置付きベッドであって、ベッド本体（10）と天蓋（40）と空調装置（50）とを備えている。
【００４９】
〈ベッドの構成〉
ベッド本体（10）は、図１に示すように、寝台部（11）とヘッドボード（20）とを備えている。
【００５０】
上記寝台部（11）は、扁平な直方体の台状に形成されている。寝台部（11）の上には、就寝者が横たわるためのマットレス（13）が載せられている。上記マットレス（13）は、上記寝台部（11）の上面の面積よりも一回り小さく形成され、寝台部（11）の上面には、マットレス（13）より露出した両側スペース（17）及び脚側スペース（16）が形成されている。上記両側スペース（17）には、就寝者の脚側に対応する位置に脚側給気口（18）が形成されている。一方、上記脚側スペース（16）には、中央部に脚側吸込口（19）が形成されている。また、上記脚側スペース（16）には、カーテン保持棒（15）が設けられている。該カーテン保持棒（15）は、寝台部（11）の上面と所定間隔を保って寝台部（11）の幅方向に延び、両側が下方に屈曲して寝台部（11）の脚側スペース（16）の両側に固定されている。該カーテン保持棒（15）は、後述する天蓋（40）のカーテン（47）が脚側スペース（16）の脚側吸込口（19）を塞いだりしないようにカーテン（47）を保持するものである。
【００５１】
上記ヘッドボード（20）は、上記寝台部（11）における就寝者の頭側の端部に立設されている。上記ヘッドボード（20）は、図３に示すように、ボード本体（20a）とダクト部材（30）とを備えている。
【００５２】
上記ボード本体（20a）は、前面板（21）と背面板（22）と上面板（25）と下面板（24）と２枚の側面板（23）とを備え、横長の扁平な矩形状の箱形に形成されている。上記前面板（21）には、第１通風グリル（21a）が設けられ、上記背面板（22）の両側には、第２通風グリル（22a）が設けられている。また、上記各側面板（23）の下部には、第３通風グリル（23a）が設けられている。
【００５３】
上記ダクト部材（30）は、図３に示すように、上記ボード本体（20a）内において、上記第１通風グリル（21a）の後方に配置され、後述する頭側空調ユニット（60a）の下部ケーシング（70a）に載置されている。上記ダクト部材（30）は、頭側空調ユニット（60a）の調和空気（SA1）を導くためのものであり、頭側給気口（32a）及び頭側吸込口（33b）が形成されている。
【００５４】
具体的に、該ダクト部材（30）は、前面が開口し、側面視台形状の扁平な横長の矩形体に形成され、背板（36）と左右の側板（35）と該左右の側板（35）との間に設けられる上側板（31）下側板（33）とを備えている。また、上側板（31）と下側板（33）と間に仕切板（32）が設けられている。
【００５５】
上記頭側給気口（32a）は、上記仕切板（32）の中央部に横長の長方形状に形成され、上記頭側吸込口（33b）は、上記下側板（33）の両側部に略正方形状に形成されている。上記上側板（31）の下面には、上記頭側給気口（32a）に対応した位置に、風向板（31a）が取り付けられている。また、上記下側板（33）の中央部に頭側中間給気口（33a）が形成されており、上記仕切板（32）と上記下側板（33）との間には、上記下側板（33）の上記頭側吸込口（33b）と上記頭側中間給気口（33a）とを区画し且つ該頭側中間給気口（33a）と上記頭側給気口（32a）とを連通させる連通板（34）が形成されている。
【００５６】
〈天蓋の構成〉
上記天蓋（40）は、図２に示すように、カーテン（47）と該カーテン（47）を吊す天井部材（43）と該天井部材（43）を支持紐（42）を介して支持する支持部（41）とを備えている。
【００５７】
上記支持部（41）は、湾曲した棒状に形成され、一端がヘッドボード（20）のボード本体（20a）の上面板（25）の右側に固定され、他端が寝台部（11）の中央部上方に位置している。また、上記支持部（41）の他端には、支持紐（42）を保持する保持部（41a）が設けられている。
【００５８】
上記天井部材（43）は、天井枠（44）と天井蓋（45）とを備えている。上記天井枠（44）は、環状に形成され、上記支持部（41）の保持部（41a）に保持された４本の支持紐（42）を介して上記支持部（41）に垂下されている。なお、天井枠（44）を支持部（41）により支持する方法は、特に限定されず、連結棒などを介して支持するようにしてもよい。上記天井蓋（45）は、上記天井枠（44）と同じ大きさの外周を有する円形状に形成され、上記天井枠（44）の上に配置されて天井枠（44）内部を閉塞している。
【００５９】
上記カーテン（47）は、横方向に長い布材であり、上端側が、上記天井部材（43）の天井枠（44）にカーテンフックなどを介して吊されている。一方、上記カーテン（47）の下端側は、寝台部（11）の両側及び脚側の側面とヘッドボード（20）のボード本体（20a）の上面板（25）と側面板（26）の前面側とに接するように、ベッド本体（10）の周縁部まで延びている。
【００６０】
このように、上記天蓋（40）は、ベッド本体（10）において、寝台部（11）の上方を覆って就寝者が就寝する就寝空間（14）を形成する覆い部材に構成されている。
【００６１】
〈空調装置の構成〉
上記空調装置（50）は、上記ベッド本体（10）に収納されて上記就寝空間（14）の空気調和を行うものであり、頭側空調手段（60）と脚側空調手段（51）とコントローラ（80）とを備えている。
【００６２】
（頭側空調手段）
上記頭側空調手段（60）は、図４及び図５に示すように、頭側空調ユニット（60a）と上記ヘッドボード（20）のダクト部材（30）とを備え、就寝者の頭側の空気調和を行うものである。
【００６３】
上記頭側空調ユニット（60a）は、図１に示すように、ヘッドボード（20）のボード本体（20a）に収納されている。上記頭側空調ユニット（60a）は、図４及び図５に示すように、頭側ケーシング（70）と頭側空調系統（61）とを備えている。
【００６４】
上記頭側ケーシング（70）は、上記ボード本体（20a）の内部において、上記ダクト部材（30）の下方の空間に配置される下部ケーシング（70a）と、両側方に位置するダクトケーシング（70b）とからなり、背面パネル（71）、前面パネル（72）、２つの側面パネル（73）、下面パネル（74）、２つのカバーパネル（76）及び上面パネル（75）を備えている。
【００６５】
上記下部ケーシング（70a）は、ボード本体（20a）の下部に収納され、内部に頭側空調系統（61）が収納されており、下面パネル（74）の下面には脚部（74a）が設けられている。上記ダクトケーシング（70b）は、下部ケーシング（70a）の両側部の上方に設けられ、側面パネル（73）の上部とカバーパネル（76）とによって形成されている。そして左右のダクトケーシング（70b）の間には、下部ケーシング（70a）に載置された状態で、ダクト部材（30）が設けられている。
【００６６】
上記背面パネル（71）の上部の両側には、上記背面板（22）の第２通風グリル（22a）対応した位置に排熱側吸込口（71a）が形成され、該吸込口（71a）にはフィルタ等が配置されている。上記側面パネル（73）の下部には、上記側面板（23）の第３通風グリル（23a）に対応した排熱側吹出口（73a）が形成されている。
【００６７】
上記上面パネル（75）は、上記ダクト部材（30）の下側板（33）と略同じ形状に形成され、中央に上記下側板（33）の頭側中間給気口（33a）に対応する第１頭側開口（75a）が、両側に上記下側板（33）の頭側吸込口（33b）に対応する第２頭側開口（75b）がそれぞれ形成されている。
【００６８】
上記頭側ケーシング（70）では、下部ケーシング（70a）内の上面パネル（75）の鉛直下方の空間が利用側通路（83）を構成し、上記下部ケーシング（70a）内の両側部及び上記ダクトケーシング（70b）内の空間が排熱側通路（84）を構成している。
【００６９】
上記頭側空調系統（61）は、２つの頭側熱源ユニット（90）と頭側ファン（95）と２つの排熱側ファン（96）とを備えている。
【００７０】
上記各頭側熱源ユニット（90）は、いわゆるペルチェ素子である熱電素子（91）を備えている。該各熱電素子（91）は、上面パネル（75）の両端から鉛直下方に延びるように配置され、上記利用側通路（83）と排熱側通路（84）とを区画している。また、上記熱電素子（91）では、該利用側通路（83）に面した熱面が冷却面（91a）、排熱側通路（84）に面した熱面が加熱面（91b）となるように構成されている。
【００７１】
上記頭側熱源ユニット（90）では、上記熱電素子（91）の冷却面（91a）に利用側熱交換部（92）が、加熱面（91b）に排熱側熱交換部（93）が設けられている。つまり、上記利用側熱交換部（92）は、上記利用側通路（83）における上面パネル（75）の第２頭側開口（75b）の下方に配置され、上記排熱側熱交換部（93）は、排熱側通路（84）側に配置されている。上記利用側熱交換部（92）及び排熱側熱交換部（93）の詳細については、図示を省略するが、熱電素子（91）の各熱面と同じ大きさに形成されて該熱電素子（91）を挟み込む台座と各台座から突出した複数のフィン群とをそれぞれ備えている。
【００７２】
また、上記各頭側熱源ユニット（90）と上記下面パネル（74）の間には、蒸散板ユニット（94）が配置されている。該蒸散板ユニット（94）は、ドレン回収部（94a）と蒸散部（94b）とを備えている。上記ドレン回収部（94a）は、利用側熱交換部（92）の下方に配置され、該利用側熱交換部（92）で発生したドレンを回収するものである。上記蒸散部（94b）は、複数の蒸散板（94d）を備えている。該蒸散板（94d）は、吸収部材を多孔質状で波形のシート状に形成にしたものであり、上記ドレン回収部（94a）で回収されたドレンを吸収するものである。上記蒸散板（94d）は、上記排熱側熱交換部（93）の下方において、背面パネル（71）から前面パネル（72）にかけて前後に並ぶように配置されている。また、上記ドレン回収部（94a）と蒸散部（94b）との間には、板状の仕切部（94c）が設けられている。上記仕切部（94c）は、頭側熱源ユニット（90）の熱電素子（91）の下方に位置し、上記利用側通路（83）と排熱側通路（84）とを区画している。また、上記蒸散板ユニット（94）では、ドレン回収部（94a）と蒸散部（94b）とが、下端部で連通し、ドレン回収部（94a）で回収されたドレンが、蒸散板（94d）の下端から吸収される。
【００７３】
上記頭側ファン（95）は、利用側通路（83）における各利用側熱交換部（92）の間に配置されている。一方、上記排熱側ファン（96）は、排熱側通路（84）における蒸散板ユニット（94）の蒸散部（94b）と排熱側吹出口（73a）の間に設けられている。このように、上記頭側ケーシング内では各機器（90,95,96）が横方向に並ぶように配置されている。
【００７４】
また、側面パネル（73）には、該排熱側ファン（96）の上方に断熱材（78）が取り付けられている。該断熱材（78）は、上記排熱側熱交換部（93）と側面パネル（73）の間に介在して排熱側熱交換部（93）の熱が頭側ケーシング（70）外に伝わらないようにするためのものである。なお、頭側ケーシング（70）では、各パネル（71,72,73,74）の内側に、このような頭側ケーシング（70）の内外での熱の出入りをを遮断する断熱材が適宜配置されている。
【００７５】
（脚側空調手段）
上記脚側空調手段（51）は、図１に示すように、寝台部（11）に収納されており、脚側空調ユニット（51a）と上記脚側吸込口（19）と上記脚側給気口（18）とを備え、就寝者の脚側の空気調和を行うものである。
【００７６】
上記脚側空調ユニット（51a）は、寝台部（11）内において、就寝者の脚側に対応した位置で且つ脚側吸込口（19）の鉛直下方の空間より頭側よりに配置されている。上記脚側空調ユニット（51a）は、図６に示すように、脚側ケーシング（52）と脚側空調系統（53）とを備えている。
【００７７】
上記脚側ケーシング（52）は、該寝台部（11）の幅方向に長く、上記寝台部（11）内において、一方の脚側給気口（18）から他方の脚側給気口（18）まで延びる扁平な箱形に形成されている。上記脚側ケーシング（52）には、上面の両端部に凸部（52a）が形成され、該凸部（52a）の上面が上記寝台部（11）の脚側給気口（18）の位置に対応している。また、上記脚側ケーシング（52）には、第１脚側開口（52b）及び第２脚側開口（52c）が形成されている。上記第１脚側開口（52b）は、上記凸部（52a）の上面全体に形成され、上記脚側給気口（18）と対応しており、上記第２脚側開口（52c）は、上記脚側ケーシング（52）の脚側端部側の側面の中央に、横に長い長方形状に形成されている。
【００７８】
上記脚側空調系統（53）は、脚側ファン（55）と２つの電熱ヒータ（54）とを備えている。該電熱ヒータ（54）は、通電されることにより、空気を加熱するものである。上記各電熱ヒータ（54）は、脚側ケーシング（52）内において、上記第１脚側開口（52b）の内側に配置されている。また、上記脚側ファン（55）は、上記各電熱ヒータ（54）の間に配置されている。
【００７９】
（コントローラ）
上記コントローラ（80）は、上記ベッド本体（10）の就寝者における頭側の温度が脚側の温度より低くなる温度分布が形成されるように、上記空調装置（50）の運転動作を制御するものであり、図１に示すように、例えば、上記ヘッドボード（20）の上部に収納されている。
【００８０】
具体的に、上記コントローラ（80）は、ベッド本体（10）における就寝者の脚側の温度が設定温度Ｔ（例えば、３０℃）となるように、脚側空調手段（51）の制御を行う一方、就寝者の頭側が上記設定温度Ｔより所定温度Δｔ（例えば、４℃）低い所定の低温度（Ｔ−Δｔ）（例えば、２６℃）となるように、頭側空調手段（60）の制御を行うように構成されている。
【００８１】
なお、就寝者の頭側及び脚側の温度は特に限定されず、さらに、就寝者の就寝中に設定温度Ｔ及び所定温度Δｔを任意に変化させてもよいし、ヘッドボード（20）の前面板（21）に設定ボタン等を設けて、就寝者がこれらの温度を適宜設定するようにしてもよい。
【００８２】
−運転動作−
次に、上記空調装置付きベッド（1）の動作について、図４〜図７に基づいて説明する。
【００８３】
就寝者が、上記ベッド（1）の天蓋（40）内の就寝空間（14）で就寝を開始すると、上記コントローラ（80）は、就寝者の就寝の開始を検知して自動的に、又は就寝者の入力によって空調装置（50）の制御を開始する。これにより、頭側空調ユニット（60a）では、熱電素子（91）の通電及び各ファン（95,96）の駆動が開始され、脚側空調ユニット（51a）では、電熱ヒータ（54）の通電及び脚側ファン（55）の駆動が開始され、該各空調手段（60,51）により就寝空間（14）の空気調和が行われる。
【００８４】
就寝空間（14）における就寝者の頭側では、図７に示すように、就寝空間（14）の空気（RA1）が、上記ヘッドボード（20）の第１通風グリル（21a）を介してダクト部材（30）の頭側吸込口（33b）から吸い込まれる。吸い込まれた空気（RA1）は、図４及び図５に示すように、上面パネル（75）の第２頭側開口（75b）を通って頭側空調ユニット（60a）の利用側通路（83）に導入され、頭側熱源ユニット（90）の利用側熱交換部（92）を通過して冷却され、所定の低温度（Ｔ−Δｔ）の頭側調和空気（SA1）に生成される。該頭側調和空気（SA1）は、頭側ファン（95）を通過し、上面パネル（75）の第１頭側開口（75a）及びダクト部材（30）の頭側中間給気口（33a）を通って仕切板（32）の頭側給気口（32a）から就寝者の頭側空間へ上方に向かって流出する。流出した上記頭側調和空気（SA1）は、図７に示すように、上記就寝者の頭側の上方から下方に広がるように流れ、上記ダクト部材（30）の頭側吸込口（33b）から再び吸い込まれる。このように、就寝者の頭側では、頭側給気口（32a）と頭側吸込口（33b）との間で頭側調和空気（SA1）のショートサーキット領域が形成され、就寝者の頭側は、所定の低温度（Ｔ−Δｔ）に保たれる。
【００８５】
また、上記頭側空調ユニット（60a）の排熱側通路（84）では、就寝空間（14）外の空気（OA）が、上記ボード本体（20a）の背面板（22）の第２通風グリル（22a）を介して排熱側吸込口（71a）から取り込まれ、上記排熱側熱交換部（93）で加熱処理される。加熱された空気（OA）は、蒸散板ユニット（94）の蒸散板（94d）の間を流れ、該蒸散板（94d）が吸収したドレンを蒸散させる。その後、該空気（OA）は、蒸散させたドレンの水蒸気と共に排熱側ファン（96）を通って排熱側吹出口（73a）から流出し、ヘッドボード（20）の側面板（23）の第３通風グリル（23a）から流出する。
【００８６】
一方、就寝空間（14）における就寝者の脚側では、図７に示すように、就寝者の脚側の空気（RA2）が脚側吸込口（19）から吸い込まれる。吸い込まれた脚側の空気（RA2）は、図６に示すように、脚側空調ユニット（51a）の脚側ケーシング（52）の側面に形成された第２脚側開口（52c）から脚側ケーシング（52）内に取り込まれる。取り込まれた脚側空気（RA2）は、上記脚側ファン（55）を通過し、電熱ヒータ（54）を通って加熱され、設定温度Ｔの脚側調和空気（SA2）に生成される。上記脚側調和空気（SA2）は、上記脚側ケーシング（52）の第１脚側開口（52b）を介して寝台部（11）の脚側給気口（18）から流出し、図７に示すように、内側に向かって上昇した後に中央部で互いに衝突して下降し、上記脚側吸込口（19）に再び吸い込まれる。なお、脚側調和空気（SA2）が内側に向かって上昇するのは、図２の天蓋（40）のカーテン（47）の内側面に沿って上昇するためである。このように、就寝者の脚側では、脚側給気口（18）と脚側吸込口（19）との間で脚側調和空気（SA2）のショートサーキット領域が形成され、就寝者の脚側は、設定温度Ｔに保たれる。
【００８７】
以上のように、上記ベッド本体（10）の就寝者における頭側の温度が脚側の温度より低くなる「頭寒足熱」の温度分布が形成される。
【００８８】
−実施形態１の効果−
上記空調装置付きベッド（1）では、上記脚側空調手段（51）が、電熱ヒータ（54）によって脚側調和空気（SA2）を生成して就寝者の脚側の空気調和を行うようにしたために、脚側空調手段（51）では、排熱処理が不要であるので、構成が簡素化されることから、イニシャルコストの削減を図ることができると共に、軽量化を図ることができる。また、電熱ヒータは、安価な熱源であるので、さらにイニシャルコストを削減することができる。
【００８９】
また、各給気口（32a,18）及び各吸込口（33b,19）の配置により、就寝者の頭側において、頭側調和空気（SA1）の局所的なショートサーキット領域を形成する一方、就寝者の脚側において、脚側調和空気（SA2）のショートサーキット領域を形成することができるので、確実に「頭寒足熱」の温度分布を形成することができる。
【００９０】
また、上記空調装置付きベッド（1）は、天蓋（40）を備えているので、就寝空間（14）を快適な空調状態に維持することができる。これにより、就寝者の就寝時における快適性が向上する。
【００９１】
《発明の実施形態２》
本実施形態は、上記実施形態１の頭側空調手段（60）が熱電素子（91）を有して頭側調和空気（SA1）を生成し、脚側空調手段（51）が電熱ヒータ（54）を有して脚側調和空気（SA2）を生成したことに代わり、図８に示すように、頭側空調手段（60）及び脚側空調手段（51）が、蒸気圧縮式冷凍サイクルの冷媒回路（100）の熱交換器（103）により調和空気（SA1,SA2）を生成するようにしたものである。
【００９２】
具体的に、図８（ａ）に示すように、頭側空調手段（60）の頭側空調ユニット（60a）は第１室外ユニット（57）と接続され、脚側空調手段（51）の脚側空調ユニット（51a）は、第２室外ユニット（58）と接続されている。各空調ユニット（57,58）は、空調装置付きベッド（1）が設置される就寝室の室外に設置されている。頭側空調ユニット（60a）は、頭側空調系統（61）を備え、脚側空調ユニット（51a）は、脚側空調系統（53）を備え、各室外ユニット（57,58）は、熱源側空調系統（120）を備えている。
【００９３】
上記冷媒回路（100）は、図８（ｂ）に示すように、圧縮機（101）と四路切換弁（102）と室内熱交換器（103）と室内膨張弁（104）と室外熱交換器（105）とが順に接続されている。上記圧縮機（101）と上記四路切換弁（102）と上記室外熱交換器（105）とが、熱源側空調系統（120）を構成し、上記室内熱交換器（103）と上記室内膨張弁（104）とが、頭側及び脚側空調系統（61,53）を構成している。
【００９４】
上記冷媒回路（100）では、四路切換弁（102）が図８（ａ）の実線で示す第１状態と破線で示す第２状態とに切換られることにより、暖房運転と冷房運転とが切換可能に構成されている。また、上記圧縮機（101）は容量可変に構成され、上記室内膨張弁（104）は開度調整自在に構成されている。
【００９５】
また、上記頭側及び脚側空調系統（61,53）は、利用側ファン（108）を備えている。該利用側ファン（108）は、室内熱交換器（103）の近傍に設置され、就寝空間（14）の空気（RA1,RA2）を各空調ユニット（60a,51a）内に取り込んで室内熱交換器（103）に送風し、生成された調和空気（SA1,SA2）を就寝空間（14）に供給するものである。一方、熱源側空調系統（120）は、熱源側ファン（107）を備えている。該熱源側ファン（107）は、室外熱交換器（105）の近傍に設置され、室外熱交換器（105）に室外空気を送風するためのものである。
【００９６】
なお、本実施形態では、頭側空調手段（60）及び脚側空調手段（51）の何れもが、上記熱交換器（103）を有するようにしたが、何れか一方の空調手段（60,51）が、上記熱交換器（103）を有する構成としてもよい。つまり、頭側空調手段（60）が、実施形態１のように熱電素子（91）を備える一方、脚側空調手段（51）が、上記熱交換器（103）を備える構成としてもよいし、頭側空調手段（60）が、上記熱交換器（103）を備える一方、脚側空調手段（51）が、電熱ヒータ（54）又は熱電素子（91）を備える構成としてもよい。
【００９７】
−運転動作−
上記空調装置付きベッド（1）の頭側及び脚側の各空調手段（60,51）は、コントローラ（80）の制御により、冷暖房運転を適宜切り替えて運転動作を行う。また、この運転において、圧縮機（101）の容量及び室内膨張弁（104）の開度が、就寝者の脚側の設定温度Ｔ及び頭側の所定の低温度（Ｔ−Δｔ）に応じて適宜制御される。
【００９８】
ここでは、頭側空調手段（60）が冷房運転を行い、脚側空調手段（51）が暖房運転を行う動作について説明する。
【００９９】
頭側空調ユニット（60a）の熱交換器（103）を有する冷媒回路（100）では、四路切換弁（102）が第２状態となり、冷媒が図８（ｂ）の破線矢印の方向に循環し、室内熱交換器（103）が蒸発器となり、室外熱交換器（105）が凝縮器となる。
【０１００】
第１室外ユニット（57）では、圧縮機（101）から吐出した冷媒が、四路切換弁（102）を通って室外熱交換器（105）を流れ、室外空気に放熱して凝縮し、液冷媒となる。該液冷媒は、頭側空調ユニット（60a）に導入され、室内膨張弁（104）で膨張して室内熱交換器（103）を流れる。該室内熱交換器（103）において、冷媒は、図８（ａ）に示すように、上記頭側吸込口（33b）から取り込まれた就寝空間（14）の空気（RA1）から吸熱して蒸発し、該空気（RA1）を冷却して所定の低温度（Ｔ−Δｔ）の頭側調和空気（SA1）に生成する。生成された頭側調和空気（SA1）は、頭側給気口（32a）から就寝者の頭側に供給され、再び頭側吸込口（33b）に吸い込まれる。室内熱交換器（103）を流れた冷媒は、再び圧縮機（101）に吸入される。
【０１０１】
一方、脚側空調ユニット（51a）の熱交換器（103）を有する冷媒回路（100）では、四路切換弁（102）が第１状態となり、冷媒が図８（ｂ）の実線矢印の方向に循環し、室内熱交換器（103）が凝縮器となり、室外熱交換器（105）が蒸発器となる。
【０１０２】
第２室外ユニット（58）では、圧縮機（101）から吐出した冷媒は、四路切換弁（102）を通って脚側空調ユニット（51a）の室内熱交換器（103）を流れる。この際、室内熱交換器（103）では、図８（ａ）に示すように、上記脚側吸込口（19）から取り込まれた就寝空間（14）の空気（RA2）に放熱して凝縮し、該空気（RA2）を加熱して設定温度Ｔの脚側調和空気（SA2）に生成する。生成された脚側調和空気（SA2）は、脚側給気口（18）から就寝者の脚側に供給されて再び脚側吸込口（19）に吸い込まれる。室内熱交換器（103）を流れた冷媒は、室内膨張弁（104）で膨張した後、室外熱交換器（105）を流れ、室外空気から吸熱して蒸発し、四路切換弁（102）を通って圧縮機（101）に吸入される。
【０１０３】
以上のように、上記ベッド本体（10）の就寝者における頭側の温度が脚側の温度より低くなる「頭寒足熱」の温度分布が形成される。
【０１０４】
−実施形態２の効果−
上記空調装置付きベッド（1）では、上記頭側及び脚側空調手段（60,51）が、蒸気圧縮式冷凍サイクルの冷媒回路（100）の熱交換器（103）の熱処理により空気調和を行うようにしたために、従来のように熱電素子を用いて空気調和を行う場合と比べてＣＯＰが高くなる。これにより、ランニングコストの削減を図ることができる。
【０１０５】
その他の構成、作用及び効果は実施形態１と同じである。
【０１０６】
−実施形態２の変形例−
本実施形態は、上記実施形態２の頭側及び脚側の各空調手段（60,51）の空調ユニット（60a,51a）が、それぞれ、別個の室外ユニット（57,58）に接続されて冷媒回路（100）を構成したことに代わり、図９に示すように、１つの室外ユニット（59）の熱源側空調系統（120）に対して、各空調ユニット（60a,51a）の空調系統（61,52）が並列接続されて蒸気圧縮式冷凍サイクルの冷媒回路（100）を構成するようにしたものである。
【０１０７】
具体的に、上記冷媒回路（100）では、図９（ｂ）に示すように、熱源側空調系統（120）が、室外膨張弁（106）と室外熱交換器（105）圧縮機（101）と四路切換弁（102）とが順に接続されて構成されている。一方、頭側及び脚側空調系統（61,52）が、 室内熱交換器（103）と室内膨張弁（104）が接続されて構成されいる。そして、上記熱源側空調系統（120）に対して、頭側及び脚側空調系統（61,52）が並列接続されている。
【０１０８】
上記冷媒回路（100）では、四路切換弁（102）が図の実線で示す第１状態と破線で示す第２状態とに切り替わるこにより、各空調手段（60,51）が共に暖房運転を行う状態と、共に冷房運転を行う状態とに切り換わるように構成されている。また、圧縮機（101）は容量可変に構成される一方、各膨張弁（104,106）は、開度調整自在に構成されている。
【０１０９】
−運転動作−
上記空調装置付きベッド（1）の頭側及び脚側の各空調手段（60,51）は、コントローラ（80）の制御により、共に冷房運転又は共に暖房運転を行う。ここでは、各空調手段（60,51）が冷房運転を行った場合の動作を説明する。
【０１１０】
冷媒回路（100）では、四路切換弁（102）が第２状態となり、冷媒が図９（ｂ）の破線矢印の方向に循環し、室外熱交換器（105）が凝縮器となり、各室内熱交換器（103）が蒸発器となる。また、室外膨張弁（106）が全開状態となる一方、圧縮機（101）の容量及び室内膨張弁（104）の開度が、就寝者の脚側の設定温度Ｔ及び頭側の所定の低温度（Ｔ−Δｔ）に応じて適宜制御される。
【０１１１】
冷媒回路（100）では、圧縮機（101）から吐出した冷媒が、四路切換弁（102）を通って室外熱交換器（105）を流れ、室外空気に放熱して凝縮し、液冷媒となる。該液冷媒は、全開状態の室外膨張弁（106）を流れ、頭側及び脚側の各空調手段（60,51）の空調ユニット（60a,51a）に分配される。
【０１１２】
頭側空調ユニット（60a）に分配された冷媒は、室内膨張弁（104）を通過して室内熱交換器（103）を流れる。該室内熱交換器（103）において、冷媒は、図９（ａ）に示すように、上記頭側吸込口（33b）から取り込まれた就寝空間（14）の空気（RA1）から吸熱して蒸発し、該空気（RA1）を冷却して所定の低温度（Ｔ−Δｔ）の頭側調和空気（SA1）を生成する。生成された頭側調和空気（SA1）は、頭側給気口（32a）から就寝者の頭側に供給され、再び頭側吸込口（33b）に吸い込まれる。
【０１１３】
一方、脚側空調ユニット（51a）に分配された冷媒は、室内膨張弁（104）を通過して室内熱交換器（103）を流れる。該室内熱交換器（103）において、冷媒は、図９（ａ）に示すように、上記脚側吸込口（19）から取り込まれた就寝空間（14）の空気（RA2）から吸熱して蒸発し、該空気（RA2）を冷却して設定温度Ｔの脚側調和空気（SA2）を生成する。生成された脚側調和空気（SA2）は、脚側給気口（18）から就寝者の脚側に供給され、再び脚側吸込口（19）に吸い込まれる。
【０１１４】
その後、各室内熱交換器（103）で蒸発した冷媒は、各空調ユニット（60,51）から流出して合流し、室外ユニット（59）に導入され、圧縮機（101）に供給される。
【０１１５】
以上のように、上記ベッド本体（10）の就寝者における頭側の温度が脚側の温度より低くなる「頭寒足熱」の温度分布が形成される。
【０１１６】
なお、上記各空調手段（60,51）が、共に暖房運転を行う場合は、冷媒回路（100）の四路切換弁（102）が第１状態となり、冷媒が図９（ｂ）の実線矢印の方向に循環し、室外熱交換器（105）が蒸発器となり、各室内熱交換器（103）が凝縮器となる。また、室外膨張弁（106）及び各室内膨張弁（104）は、適宜開度制御される一方、圧縮機（101）の容量が適宜制御される。そして、各空調ユニット（60a,51a）では、各室内膨張弁（104）の開度調整を行って各室内熱交換器（103）に流れる冷媒量を制御することにより、調和空気（SA1,SA2）の温度調節が行われる。
【０１１７】
−実施形態２の変形例の効果−
本実施形態では、１つの室外ユニット（59）に対して各空調手段（60,51）の空調ユニット（60a,51a）を並列接続したために、室外ユニット（59）を２台設ける必要がなくなるので、実施形態２に比べてイニシャルコストの低減を図ることができると共に、室外ユニット（59）の省スペース化を図ることができる。
【０１１８】
その他の構成、作用及び効果は実施形態１と同じである。
【０１１９】
《発明の実施形態３》
本実施形態は、上記実施形態１及び２の頭側空調手段（60）が、頭側給気口（32a）及び頭側吸込口（33b）を備えて就寝者の頭側に頭側調和空気（SA1）を供給することにより空気調和を行ったことに代わり、図１０に示すように、頭側空調手段（60）が、輻射パネル（87）によって就寝者の頭側との間で熱を授受することにより、空気調和を行うようにしたものである。
【０１２０】
具体的に、ヘッドボード（20）のボード本体（20a）の前面板（21）には、矩形状に開口したパネル枠（21b）が形成されている。上記輻射パネル（87）は、上記該パネル枠（21b）と略同じ大きさの矩形状の平板に形成したものであり、該パネル枠（21b）に嵌合するように取り付けられている。なお、輻射パネル（87）の材料としては、アルミニウムや銅などの輻射に適し且つ熱伝導率が高い金属を用いることが好ましく、さらに、輻射パネル（87）の表面を黒色に塗装して輻射率をさらに高めるようにしてもよい。このようにして、輻射パネル（87）の背面は、ボード本体（20a）内に面している。
【０１２１】
上記頭側空調手段（60）は、ボード本体（20a）内に頭側空調ユニット（60a）を備え、該ユニット（60a）は、輻射パネル（87）の背面に設けられた循環回路（88）を備えている。該循環回路（88）は、所定温度の熱媒体である循環水が循環するものである。上記頭側空調ユニット（60a）では、循環回路（88）の循環水を所定温度とするための熱源が適宜選択されて用いられている。熱源としては、電熱ヒータなどの機器自体が安価な熱源、冷媒回路などのランニングコストが安価な熱源を用いることができ、さらに、頭側空調ユニット（60a）専用の熱源を設けることなく、他の冷凍装置の冷熱や、該冷凍装置や空調装置の排熱などを利用することができる。なお、循環回路（88）を循環する熱媒体には、循環水に限定されず、水以外の液体や空気などを用いてもよい。
【０１２２】
このような構成により、上記頭側空調手段（60）は、循環回路（88）の所定温度の循環水と就寝者の頭側との間で、輻射パネル（87）を介して熱を授受して就寝者の頭側を所定の低温度（Ｔ−Δｔ）とする。
【０１２３】
一方、脚側空調手段（51）は、従来のように熱電素子（91）を有した構成であってもよいし、実施形態１のように電熱ヒータ（54）を有した構成であってもよいし、実施形態２のように蒸気圧縮式冷凍サイクルの冷媒回路（100）の熱交換器（103）を有した構成であってもよい。また、脚側空調手段（51）に実施形態２の冷媒回路（100）を用いる場合は、上記循環回路（88）の循環水の熱処理において、該脚側空調ユニット（51a）に接続された第２室外ユニット（58）の排熱を利用してもよい。
【０１２４】
本実施形態では、上記頭側空調手段（60）が、輻射パネル（87）を介して循環回路（88）の循環水と就寝者の頭側との間で熱を授受して、就寝者の頭側の空気調和を行うようにしたために、循環回路（88）の循環水の熱処理を行う熱源を適宜選択することにより、コストの削減を図ることができる。さらに、輻射により就寝者の頭側の空気調和を行うので、就寝者が頭側において空気の流れによるドラフト感を感じることを防止することができ、就寝者の快適性が向上する。
【０１２５】
また、上記実施形態１及び２においても、頭側空調手段（60）が、上記頭側給気口（32a）及び頭側吸込口（33b）の代わりに、輻射パネル（87）を備えるようにしてもよい。この場合、輻射パネル（87）を空気が流通する袋状に形成して、該輻射パネル（87）内を頭側調和空気（SA1）が流通するようにしてもよい。さらに、実施形態１の熱電素子（91）の熱面（91a,91b）を、輻射パネル（87）に直接接触させるなどして、調和空気（SA1）を生成することなく、空気調和を行うようにしてもよい。このように、輻射パネル（87）を用いることにより、就寝者が頭側において空気の流れによるドラフト感を感じることを防止することができる。
【０１２６】
その他の構成、作用及び効果は実施形態１と同じである。
【０１２７】
−実施形態３の変形例−
上記実施形態３では、輻射パネル（87）を、ヘッドボード（20）のボード本体（20a）の前面板（21）に配置したが、輻射パネル（87）の構成は、特に限定されない。図１１（ａ）に示すように、ヘッドボード（20）の前面板（21）に加え、就寝者の頭側の両側部に設けることにより、就寝者の頭側が輻射パネル（87）に囲まれるようにしてもよいし、図１１（ｂ）に示すように、就寝者の頭側に傾斜させて配置してもよいし、さらに、この傾斜角度を変更自在にしてもよい。これにより、輻射パネル（87）の輻射による空気調和を、より効率的に行うことができる。
【０１２８】
《発明の実施形態４》
本実施形態は、上記実施形態１から３の頭側空調手段（60）が、熱源による熱処理を行うことにより、就寝者の頭側の空気調和を行ったことに代わり、図１２（ａ）に示すように、頭側空調手段（60）が、就寝者の頭側に外気（OA）を供給することにより、空気調和を行うようにしたものである。
【０１２９】
ここでいう外気（OA）とは、就寝者が就寝する就寝空間（14）と区画された空間の空気であり、屋外空気だけでなく屋内空気も含む。つまり、図２で示すように、空調装置付きベッド（1）が天蓋（40）などで覆われて就寝空間（14）が形成されている場合は、天蓋（40）の外の空気が外気（OA）となる。そして、本実施形態の空調装置付きベッド（1）は、例えば、外気温が「頭寒足熱」の「頭寒」に適した温度である冬季などに用いる。
【０１３０】
具体的に、本実施形態では、頭側空調手段（60）は、外気取込口（133）と外気給気口（131）と外気用ファン（135）とを備えている。上記外気給気口（131）は、ヘッドボード（20）のボード本体（20a）の前面板（21）に形成される一方、上記外気取込口（133）は、背面板（22）に形成され、就寝空間（14）外の空間と連通している。また、外気用ファン（135）は、ボード本体（20a）内において、外気取込口（133）と外気給気口（131）との間に配置されている。
【０１３１】
そして、就寝者の脚側を設定温度Ｔに保ち、就寝者の頭側を所定の低温度（Ｔ−Δｔ）に保つ運転を行う場合、外気温が所定の低温度（Ｔ−Δｔ）以下であれば、頭側空調手段（60）が、外気用ファン（135）を駆動して、外気取込口（133）から取り込んだ外気（OA）を外気給気口（131）から就寝者の頭側に供給し、就寝者の頭側を所定の低温度（Ｔ−Δｔ）に保つ。一方、脚側空調手段（51）は、熱電素子（91）、電熱ヒータ（54）及び蒸気圧縮式冷凍サイクルの冷媒回路（100）の熱交換器（103）の何れかを有して、就寝者の脚側を設定温度Ｔに保つ。
【０１３２】
なお、この「頭寒足熱」の最適温度には個人差があるので、対象とする就寝者によっては、１年中この外気導入によって、頭側の空気調和を行うようにしてもよい。
【０１３３】
本実施形態では、上記頭側空調手段（60）が、就寝者の頭側に外気（OA）を供給することにより、空気調和を行うようにしたために、頭側空調手段（60）で熱源が不要になり、イニシャルコスト及びランニングコストを共に削減することができる。
【０１３４】
また、実施形態１から３の頭側空調手段（60）が、外気取込口（133）と外気給気口（131）と外気用ファン（135）とを備えるようにしてもよい。この場合、外気温が「頭寒」に適した温度より高い夏季などは、実施形態１から３のように熱源による空気調和を行い、外気温が「頭寒」に適した温度の冬季などは、外気給気口（131）から外気（OA）を供給して空気調和を行うようにすればよい。これにより、外気温が「頭寒」に適した冬季などにおいて、ランニングコストを削減することができる。さらに、実施形態１及び２の頭側空調手段（60）において、外気導入を行う構成とする場合、頭側給気口（32a）が外気給気口（131）を兼用し、頭側ファン（95）が外気用ファン（135）を兼用するようにして、頭側空調ユニット（60a）内の機器の配置を適宜変更すれば、外気給気口（131）及び外気用ファン（135）を別途設ける必要がなくなるので、実施形態１及び２とイニシャルコストを略同じにすることができる。
【０１３５】
その他の構成、作用及び効果は実施形態１と同じである。
【０１３６】
−実施形態４の変形例−
上記実施形態４の頭側空調手段（60）では、就寝者の頭側に単に外気（OA）が供給されるようにしたが、図１２（ｂ）に示すように、ベッド本体（10）の就寝者の頭側において、外気（OA）のショートサーキットが形成されるようにしてもよい。
【０１３７】
具体的に、頭側空調手段（60）が実施形態４の構成に加えて、頭側排気口（132）と排気用ファン（136）と外気排出口（134）とを備えている。上記頭側排気口（132）は、ボード本体（20a）の前面板（21）において、上記外気給気口（131）の下方に形成される一方、上記外気排出口（134）は、ボード本体（20a）の背面板（22）において、上記外気取込口（133）の下方に形成されている。また、排気用ファン（136）は、ボード本体（20a）において、上記外気用ファン（135）の下方に配置されている。これにより、頭側排気口（132）から就寝者の頭側に供給された外気が頭側排気口（132）に吸い込まれる局所的なショートサーキット領域が形成されるので、就寝者の頭側を確実に「頭寒足熱」の「頭寒」に適した温度に維持することができる。
【０１３８】
なお、外気排出口（134）は、側面板（23）の下部などに設けるようにしてもよい。
【０１３９】
《その他の実施形態》
上記実施形態については、以下のような構成としてもよい。
【０１４０】
上記各実施形態において、ベッド本体（10）の構成は、特に限定されない。例えば、実施形態１のヘッドボード（20）において、ボード本体（20a）とダクト部材（30）は別体に構成していたが、一体に形成してもよい。さらに、ダクト部材（30）の形状などの具体的な構成は、特に限定されない。また、頭側空調ユニット（60a）のケーシング（70）及び頭側空調系統（61）は、ヘッドボード（20）のボード本体（20a）ではなく、寝台部（11）に収納されていてもよい。
【０１４１】
また、ベッド本体（10）を覆う覆い部材は、天蓋（40）に限定されない。例えば、幌布を備えた幌式の覆い部材であって、幌布の前端部がヘッドボード（20）の上端部及び及両側端部に、両端部が寝台部（11）の両側スペース（17）に、後端が寝台部（11）の脚側スペース（16）に、それぞれ固定されることにより、寝台部（11）の上方に就寝空間（14）を形成するものであってもよい。
【０１４２】
なお、以上の実施形態は、本質的に好ましい例示であって、本発明、その適用物、あるいはその用途の範囲を制限することを意図するものではない。
【産業上の利用可能性】
【０１４３】
以上説明したように、本発明は、就寝者の頭側及び脚側の空気調和を行う空調装置付きベッドについて有用である。
【図面の簡単な説明】
【０１４４】
【図１】実施形態１に係る空調装置付きベッドの天蓋を除いた状態を示す斜視図である。
【図２】実施形態１に係る空調装置付きベッドの天蓋のカーテンを閉めた状態を示す斜視図である。
【図３】実施形態１に係るヘッドボードの構成を示す斜視図である。
【図４】実施形態１に係る頭側空調手段の構成と運転動作中の空気の流れとを示す図であり、（ａ）が前面パネルとカバーパネルを取り外した状態における前面視、（ｂ）が側面視である。
【図５】実施形態１に係る頭側空調手段の構成と運転動作中の空気の流れとを示すダクト部材と頭側空調ユニットとを分解した分解斜視図である。
【図６】実施形態１に係る脚側空調ユニットの構成及び運転動作中の空気の流れを示す図であり、（ａ）が内部構造を示す上面視、（ｂ）が寝台部の脚側端部から視た側面視である。
【図７】実施形態１に係る空調装置付きベッドの運転動作中の頭側及び脚側の空気の流れを示す斜視図である。
【図８】実施形態２に係る空調装置付きベッドの構成を示す図であり、（ａ）がベッド本体及び運転動作中の空気の流れを示す概略斜視図であり、（ｂ）が冷媒回路の構成を示す配管系統図である。
【図９】実施形態２の変形例に係る空調装置付きベッドの構成を示す図であり、（ａ）がベッド本体及び運転動作中の空気の流れを示す概略斜視図であり、（ｂ）が冷媒回路の構成を示す配管系統図である。
【図１０】実施形態３に係る空調装置付きベッドのベッド本体を示す概略斜視図である。
【図１１】実施形態３の変形例に係る輻射パネルの構成を示す概略斜視図である。
【図１２】（ａ）が、実施形態４に係る空調装置付きベッドのベッド本体を示す側面視であり、（ｂ）が実施形態４の変形例に係る空調装置付きベッドのベッド本体を示す側面視である。
【符号の説明】
【０１４５】
1      空調装置付きベッド
10      ベッド本体
32a     頭側給気口
33b     頭側吸込口
40      天蓋（覆い部材）
51      脚側空調手段
54      電熱ヒータ
60      頭側空調手段
87      輻射パネル
88      循環回路
91      熱電素子
100      冷媒回路
103      室内熱交換器（熱交換器）
131      外気給気口
132      頭側排気口
【図１】
2007244515.tif 000003
【図２】
2007244515.tif 000004
【図３】
2007244515.tif 000005
【図４】
2007244515.tif 000006
【図５】
2007244515.tif 000007
【図６】
2007244515.tif 000008
【図７】
2007244515.tif 000009
【図８】
2007244515.tif 000010
【図９】
2007244515.tif 000011
【図１０】
2007244515.tif 000012
【図１１】
2007244515.tif 000013
【図１２】
2007244515.tif 000014